(57)【要約】【課題】金属板を折り曲げて形成される筒部の折り曲げ自由端の係合を改善して、電気的な接続性能を安定させる。【解決手段】金属板を折り曲げて角筒状に形成された筒部１と、該筒部の一端に連設された電線圧着部２と、前記筒部の他端の開口３から挿入される雄端子を挟持する弾性接触部材を備えてなり、前記筒部１は、前記金属板の折り曲げ自由端を互いに当接又は重ね合わせて形成された隣り合う一対の筒壁１ｂ、１ｄが交わる稜線を有し、一方の筒壁１ｄの折り曲げ自由端を稜線に位置させて、その自由端から伸延させて他方の筒壁１ｂに沿って折り曲げて鳩尾状の係合片１０が形成され、他方の筒壁１ｂに係合片１０が係合される鳩尾状の切り込み部１２が形成され、係合片１０が形成された筒壁１ｄとこの筒壁に対向する筒壁１ａとの間に雄端子を挟持する弾性接触部材を形成してなる構造とする。【選択図】  図１
2014182981.tif 000002
【特許請求の範囲】
【請求項１】
金属板を折り曲げて角筒状に形成された筒部と、該筒部の一端に連設された電線圧着部と、前記筒部の他端の開口から挿入される雄端子を挟持する弾性接触部材を備えなるコネクタの雌端子構造であって、
前記筒部は、前記金属板の折り曲げ自由端を互いに当接又は重ね合わせて形成された隣り合う一対の筒壁が交わる稜線を有し、一方の筒壁の前記折り曲げ自由端を前記稜線に位置させて、当該自由端から伸延させて他方の筒壁に沿って折り曲げて鳩尾状の係合片が形成され、他方の筒壁に前記係合片が係合される鳩尾状の切り込み部が形成され、前記係合片が形成された筒壁と該筒壁に対向する筒壁との間に前記雄端子を挟持する前記弾性接触部材が形成されてなるコネクタの雌端子構造。
【請求項２】
前記係合片は、前記稜線の長手方向に間隔を明けて形成された一対の舌片からなり、該一対の舌片の対向する内側縁の間隔が先端側に向かって狭く形成され、該一対の舌片の対向する内側縁の間隔をパンチで押し広げて、該一対の舌片の外側縁を前記切り込み部の内側縁に押圧させてなることを特徴とする請求項１に記載のコネクタの雌端子構造。
【請求項３】
前記一対の舌片が形成された筒壁には、前記一対の舌片の基端の両側から当該筒壁に沿ってスリットが形成されてなることを特徴とする請求項２に記載のコネクタの雌端子構造。
【発明の詳細な説明】
【技術分野】
【０００１】
本発明は、コネクタの雌端子構造に関する。
【背景技術】
【０００２】
コネクタの雌端子は、金属板を折り曲げて角筒状に形成された筒部と、筒部の一端に連設された電線圧着部とを一体に形成し、樹脂製のコネクタハウジング内に収容し、筒部の他端の開口から挿入される雄端子と接触する弾性接触部材を筒部内に設けた構造のものが広く知られている（例えば、特許文献１の第６図、特許文献２の図１，２、特許文献３の図１〜３参照）。
【０００３】
これらの特許文献１〜３に記載の雌端子は、プレス加工により１枚の金属板を所定形状に切り出し、角筒状の筒部と電線圧着部とを曲げ加工して形成される。筒部には、挿入される雄端子と電気的に接続するため、例えば１つの筒壁（例えば、底壁）に弾性接触部材を筒内に突き出して設け、対向する筒壁（例えば、天井壁）に弾性接触部材又は固定接触部材を設けて、それらの接触部材により雄端子を挟持するように形成される。したがって、対向する筒壁間（例えば、底壁と天井壁間）には弾性接触部材による挟持反力が作用する。その挟持反力によって、角筒状に折り曲げた金属板の端（以下、折り曲げ自由端という。）の接合部が離れるのを抑制するため、折り曲げ自由端を重ね合わせて二重構造の筒壁を形成したり、折り曲げ自由端にかしめ部を形成して係合させている。
【０００４】
例えば、特許文献１に記載された雌端子は、筒部の折り曲げ自由端を底壁に対向する天井壁に位置させて互いに重ねて配置し、それらを互いにかしめ止めにより係合している。同様に、特許文献２に記載された雌端子は、筒部の折り曲げ自由端を底壁に対向する天井壁に位置させて互いに重ねて配置し、折り曲げ自由端から伸延させた係合片を側壁側に折り曲げて係合している。また、特許文献３に記載された雌端子は、筒部の折り曲げ自由端を対向する側壁の上端から底壁に対向する天井壁側に折り曲げ、一方の折り曲げ自由端にかしめ片を形成し、そのかしめ片を他方の折り曲げ自由端に重ね合わせて係合している。
【先行技術文献】
【特許文献】
【０００５】
【特許文献１】特開昭６０−２４９２７０号公報
【特許文献２】特開２００４−３０３５２６号公報
【特許文献３】特開２００５−１４９９０４号公報
【発明の開示】
【発明が解決しようとする課題】
【０００６】
しかし、特許文献１〜３に記載された雌端子の構造によれば、弾性接触部材の挟持反力は、折り曲げ自由端同士を係合する天井壁の折り曲げ部分又はかしめ片の折り曲げ部分の曲げ角度を広げる方向に作用する。そのため、コネクタの着脱が繰り返されると、経年変化により筒部の断面が変形して、コネクタの電気的な接続性能が損なわれるおそれがある。このような経年劣化を防止するために、筒部を形成する金属板の肉厚を厚くし剛性を高めることが考えられるが、雌端子のコストが増大するだけでなく、コネクタの小型化ないし軽量化の妨げになる。
【０００７】
本発明が解決しようとする課題は、金属板を折り曲げて形成される筒部の折り曲げ自由端の係合を改善して、電気的な接続性能を安定させることができるコネクタの雌端子構造を提供することにある。
【課題を解決するための手段】
【０００８】
上記の課題を解決するため、本発明のコネクタの雌端子構造は、金属板を折り曲げて角筒状に形成された筒部と、該筒部の一端に連設された電線圧着部と、前記筒部の他端の開口から挿入される雄端子を挟持する弾性接触部材を備えてなり、前記筒部は、前記金属板の折り曲げ自由端を互いに当接又は重ね合わせて形成された隣り合う一対の筒壁が交わる稜線を有し、一方の筒壁の前記折り曲げ自由端を前記稜線に位置させて、当該自由端から伸延させて他方の筒壁に沿って折り曲げて鳩尾状の係合片が形成され、他方の筒壁に前記係合片が係合される鳩尾状の切り込み部が形成され、前記係合片が形成された筒壁と該筒壁に対向する筒壁との間に前記雄端子を挟持する前記弾性接触部材が形成されてなることを特徴とする。
【０００９】
このように構成されることから、本発明の雌端子構造によれば、係合片が形成された筒壁（特許文献１等の例によれば、天井壁に対応する。）と、この筒壁に対向する筒壁（特許文献１等の例によれば、底壁に対応する。）との間に弾性接触部材の挟持反力が作用し、その挟持反力は係合片の鳩尾状に広がった外側縁を介して鳩尾状の切り込み部の内側縁を押圧する。この押圧力の方向の係合片と切り込み部の剛性は高いことから、係合片と切り込み部からなる係合部は、弾性接触部材の挟持反力により変形することはない。しかも、筒部の他の稜線に形成された筒壁の折り曲げ部に弾性接触部材の挟持反力が分散することから、それらの折り曲げ部の開き変形を抑制できる。したがって、コネクタの着脱が繰り返されても、筒部が変形してコネクタの電気的な接続性能が損なわれることを防止できる。
【００１０】
また、本発明において、前記係合片は、前記稜線の長手方向に間隔を明けて形成された一対の舌片からなり、該一対の舌片の対向する内側縁の間隔が先端側に向かって狭く形成され、該一対の舌片の対向する内側縁の間隔をパンチで押し広げて、該一対の舌片の外側縁を前記切り込み部の内側縁に押圧させてなる構成とすることができる。これによれば、筒部の折り曲げ加工の際に、一対の舌片を折り曲げて切り込み部に装入し、開きパンチ等を一対の舌片の対向する内側縁の間に位置させてプレスすることにより、一対の舌片の外側縁を切り込み部の内側縁に押圧させることができ、折り曲げ自由端を強固に係合させることができる。
【００１１】
この場合において、前記一対の舌片が形成された筒壁には、前記一対の舌片の基端の両側から当該筒壁に沿ってスリットが形成されていることが好ましい。これによれば、開きパンチ等により一対の舌片の対向する内側縁の間を押し広げる際に、一対の舌片の基端部に作用するプレス力をスリットで吸収することができるから、筒部の変形を防止できる。
【発明の効果】
【００１２】
本発明によれば、金属板を折り曲げて形成される筒部の折り曲げ自由端の係合を改善でき、これにより電気的な接続性能を安定させることができる。
【図面の簡単な説明】
【００１３】
【図１】本発明の一実施形態の雌端子の外観斜視図である。
【図２】図１の実施形態の特徴部の構成を説明する図である。
【図３】本発明の他の実施形態の雌端子の特徴部の構成を説明する図である。
【発明を実施するための形態】
【００１４】
以下、本発明を実施形態に基づいて説明する。図１に示す斜視図のように、一実施形態の雌端子は、金属板を折り曲げて角筒状に形成された筒部１と、筒部１の一端に連設された電線圧着部２とを備えて一体に形成され、図示していない樹脂製のハウジングに収容されてコネクタが構成される。筒部１は、１枚の金属板を角筒の稜線位置で折り曲げて形成される底壁１ａと、側壁１ｂ、１ｃと、天井壁１ｄを備えて形成されている。なお、底壁１ａと天井壁１ｄは、説明の便宜上から付したものであり、雌端子として格別に天地を意味づけるものではない。単に第１〜第４の筒壁と称してもよい。筒部１には、他端の開口３から挿入される図示していない雄端子を挟持する弾性接触部材４が筒内に設けられている。弾性接触部材４は、種々の構成を採用することができるが、本実施形態では、一対の弾性接触片４ａと弾性接触片（又は、固定接触片）４ｂを対向させて、底壁１ａと天井壁１ｄに設けている。底壁１ａにはハウジングランスと係止する端子係止突起５と、ハウジングランスが収容されるランスホール６が設けられている。端子係止突起５は、開口３側から電線接続部２側に向けて高さと幅が末広がりの半割り円錐状に形成されている。電線接続部２は、概ねＵ字状に形成され、図示していない電線の芯線部がかしめ接続されるワイヤーバレル２ａと、電線の絶縁被覆部をかしめ保持するインシュレーショバレル２ｂを備えて形成される。
【００１５】
次に、本実施形態の特徴部の構成を詳細に説明する。本実施形態では、金属板を折り曲げて筒部１を形成する際の折り曲げ自由端は、側壁１ｂと天井壁１ｄの自由端に該当する。そして、折り曲げ自由端は、互いに当接又は重ね合わせて形成された隣り合う一対の筒壁である側壁１ｂと天井壁１ｄが交わる稜線に位置させて突き合わされている。例えば、側壁１ｂの上端面に天井壁１ｄの縁部の下面を当接させて筒部１が形成されている。そして、一方の折り曲げ自由端の筒壁である天井壁１ｄの稜線位置から他方の筒壁である側壁１ｂに沿って伸延させて、鳩尾状つまり伸延方向の外側縁が広げられた係合片１０を形成するための一対の舌片１０ａ，１０ｂが形成されている。すなわち、一対の舌片１０ａ，１０ｂは、天井壁１ｄの稜線の長手方向に間隔を明けて設けられ、一対の舌片１０ａ，１０ｂの向かい合う内側縁の間隔が先端側に向かって狭くなる形に形成されている。また、天井壁１ｄには、一対の舌片１０ａ，１０ｂの基端の両側から稜線に直交する方向に天井壁１ｄに沿ってスリット１１が形成されている。さらに、一対の舌片１０ａ，１０ｂに対応させて、稜線を挟んで隣り合う他方の筒壁である側壁１ｂに、鳩尾状の係合片１０が係合される鳩尾状の切り込み部１２が形成されている。そして、係合片１０が形成された天井壁１ｄと、これに対向する底壁１ａとの間に，図示していない雄端子を挟持する弾性接触片４ａ、４ｂからなる弾性接触部が形成されている。
【００１６】
このように構成されることから、本実施形態の雌端子構造によれば、図２（ａ）に示すように、係合片１０を形成する台形状の一対の舌片１０ａ、１０ｂの内側縁の間に、図２（ｂ）に示すようにくさび状の開きパンチ１４を図示矢印１５の方向に押し込むことにより、図２（ｃ）に示すように鳩尾状の係合片１０が形成される。これにより、係合片１０の外側辺が切り込み部１２の内側縁に強く押圧されて、係合片１０が切り込み部１２に強固に係合される。つまり、天井壁１ｄの自由端が側壁１ｂに強固に係合される。その結果、底壁１ａと天井壁１ｄとの間に弾性接触片４ａ，４ｂの挟持反力が作用した場合、挟持反力は係合片１０の鳩尾状に広がった外側縁を介して鳩尾状の切り込み部１２の内側縁を押圧することになる。この押圧方向の係合片１０と切り込み部１２の剛性は金属板の折り曲げ部の合成よりも高いから、側壁１ｂと天井壁１ｄとの係合部は、弾性接触片４ａ，４ｂの挟持反力により変形することはない。しかも、弾性接触片４ａ，４ｂの挟持反力は、筒部の他の稜線に形成された筒壁である底壁１ａ、側壁１ｂ、１ｃ、天井壁１ｄの折り曲げ部を開く方向に作用するが、作用力が分散するので、それらの折り曲げ部の開き変形を抑制できる。したがって、コネクタの着脱が繰り返されても、筒部が変形してコネクタの電気的な接続性能が損なわれることを防止できる。
【００１７】
また、一対の舌片１０ａ，１０ｂの基端に、スリット１１が形成されていることから、開きパンチ１４等により一対の舌片１０ａ，１０ｂの対向する内側縁の間を押し広げる際に、一対の舌片１０ａ，１０ｂの基端部に作用するプレス力をスリット１１で吸収することができるから、筒部１の変形を防止できる。
【００１８】
以上説明したように、本実施形態によれば、金属板を折り曲げて形成される筒部１の折り曲げ自由端の係合を強固にすることができ、コネクタの着脱が繰り返されることによる筒部の変形を抑制でき、コネクタの電気的な接続性能を安定させることができる。
【００１９】
以上、図１，２を参照して本発明の一実施形態を説明したが、本発明はこれに限られるものではなく、以下の実施形態を採用することができる。すなわち、図１実施形態では一対の舌片１０ａ，１０ｂから形成した鳩尾状の係合片１０を示したが、図３に示すように切り込み部１２の形状に合わせて、鳩尾状の係合片２０を一体に形成して、プレス加工により係合片２０を切り込み部１２に押し込んで、係合させてもよい。
【００２０】
さらに、図１実施形態では、側壁１ｂと天井壁１ｄとを自由端の縁部において突き合わせて筒部１を形成する例を示したが、側壁１ｂの折り曲げ自由端を天井壁１ｄの下側に伸延させて、天井壁１ｄを二重構造にすることができる。この場合、側壁１ｂの切り込み部１２は、プレスにより鳩尾状のパンチ穴として形成する。また、天井壁１ｄ側に設ける弾性接触片４ｂは、側壁１ｂを伸延して形成した二重構造の内側の部材に形成することができる。
【符号の説明】
【００２１】
１  筒部
１ａ  底壁
１ｂ、１ｃ  側壁
１ｄ  天井壁
２  電線接続部
３  開口
４  弾性接続部
４ａ，４ｂ  弾性接続片
１０  係合片
１０ａ、１０ｂ  舌片
１１  スリット
１２  切り込み部
【図１】
2014182981.tif 000003
【図２】
2014182981.tif 000004
【図３】
2014182981.tif 000005